(57)【要約】      （修正有）【課題】片手操作で容易に開封可能で、且つ、収容物の予期せぬ溢れ出しを抑制することが可能な収容パックを提供する。【解決手段】第一シート部１１と、該第一シート部に対向する第二シート部１２とを有し、該第二シート部と前記第一シート部との間に収容物が密封されているパック本体１０を備えている収容パック１であって、前記パック本体を横断する方向に沿って前記第一シート部と前記第二シート部とが接着されている横断シール１５を備え、前記パック本体には、前記第一シート部と前記第二シート部とが接着されている縁部シール１４をさらに備え、前記横断シールが前記縁部シールと交差する方向に延び、且つ、前記縁部シールには到達していないことにより、第一収容部と第二収容部とを連通させる連通部が形成されており、前記縁部シールが少なくとも前記連通部に隣接する箇所においてイージーピール性を有している。【選択図】図１
2020023338.tif 000002
【特許請求の範囲】
【請求項１】
第一シート部と、該第一シート部に対向する第二シート部とを有し、該第二シート部と前記第一シート部との間に流動性を有する収容物が密封されているパック本体を備えている収容パックであって、
前記パック本体を横断する方向に沿って前記第一シート部と前記第二シート部とが接着されている横断シールを備え、
該パック本体には、前記収容物を収容する収容部として前記横断シールを介して隣り合う第一収容部と第二収容部とが備えられており、
前記パック本体には、該パック本体の外周縁に沿って前記第一シート部と前記第二シート部とが接着されている縁部シールをさらに備え、
前記横断シールが前記縁部シールと交差する方向に延び、且つ、前記縁部シールには到達していないことにより、前記横断シールの先端と前記縁部シールとの間に前記第一収容部と前記第二収容部とを連通させる連通部が形成されており、前記縁部シールが少なくとも前記連通部に隣接する箇所においてイージーピール性を有している収容パック。
【請求項２】
前記第一収容部と前記第二収容部とが重なり合うように前記パック本体を折り曲げるための折り曲げ線が前記横断シールに沿って設けられている請求項１記載の収容パック。
【発明の詳細な説明】
【技術分野】
【０００１】
本発明は収容パックに関し、より詳しくは、第一シート部と、該第一シート部に対向する第二シート部とを有し、該第二シート部と前記第一シート部との間に流動性を有する収容物が密封されているパック本体を備えている収容パックに関する。
【背景技術】
【０００２】
従来、１枚のシートを半折して三方シールしたり、表シートと裏シートとの２枚のシートを重ねて四方をシールしたりして内部に収容物を収容するための収容部を密封状態とした正面視矩形状の包装体が広く用いられている。そして、この種の包装体は液体などの流動性を有する収容物（以下「流動性収容物」ともいう）を密封する目的で用いられている。そして、前記包装体が流動性収容物を収容するためのパック本体として備えられた収容パックは各種の用途に用いられている。
【０００３】
従来、シャンプーやリンスなどの試供品を配布する際には、例えば、図７に示すように商品の説明書きが施された台紙２０ｘの片面に商品を収容したパック本体１０ｘを止着した状態で配布されたりしている。従来の収容パック１ｘは、パック本体１０ｘを横断する方向にシートが切断され易いように延伸フィルムを用いて構成されており、且つ、シートの切断起点となる箇所にノッチＮＴｘが設けられたりしている。図７に示した収容パック１ｘでは、正面視における形状が縦長な長方形となるパック本体１０ｘの側縁をシールする縁部シール１４ｘの上方部に設けたノッチＮＴｘを起点として前記パック本体１０ｘを横断する方向Ｄｘに開封することで収容部１０ａｘが開口して収容物を取り出すことができるようになっている。
【０００４】
従来のこの種の収容パックでは、パック本体の開封が両手操作となり、しかも、収容物が流動性を有することから開封操作中に収容した流動性収容物が溢れ出し易いという問題を有する。開封操作中に流動性収容物の予期せぬ溢れ出しが起こり得るという問題に対し、例えば、下記特許文献１にはノッチなどの開封起点となる側とは反対側の側縁部に流動性収容物の注出通路を設け、収容部が切断作業の最終段階まで開封状態にならないように工夫された流動性収容物包装袋が開示されている。
【先行技術文献】
【特許文献】
【０００５】
【特許文献１】特開２００８−２２２２７５号公報
【発明の概要】
【発明が解決しようとする課題】
【０００６】
上記特許文献１に記載の発明では開封操作の途中で流動性収容物の溢れ出しが起こり得るという問題は改善され得るもののパック本体の開封のためには基本的に両手操作が必要となる点については改善されていない。
【０００７】
そこで本発明は、片手操作で容易に開封可能で、且つ、収容物の予期せぬ溢れ出しを抑制することが可能な収容パックの提供を課題としている。
【課題を解決するための手段】
【０００８】
上記課題を解決すべく、本発明は、第一シート部と、該第一シート部に対向する第二シート部とを有し、該第二シート部と前記第一シート部との間に流動性を有する収容物が密封されているパック本体を備えている収容パックであって、前記パック本体を横断する方向に沿って前記第一シート部と前記第二シート部とが接着されている横断シールを備え、該パック本体には、前記収容物を収容する収容部として前記横断シールを介して隣り合う第一収容部と第二収容部とが備えられており、前記パック本体には、該パック本体の外周縁に沿って前記第一シート部と前記第二シート部とが接着されている縁部シールをさらに備え、前記横断シールが前記縁部シールと交差する方向に延び、且つ、前記縁部シールには到達していないことにより、前記横断シールの先端と前記縁部シールとの間に前記第一収容部と前記第二収容部とを連通させる連通部が形成されており、前記縁部シールが少なくとも前記連通部に隣接する箇所においてイージーピール性を有している収容パックを提供する。
【０００９】
斯かる構成によれば、縁部シールと横断シールとの間に形成された連通部によって第一収容部と第二収容部とが連通されている。そして、本発明の収容パックは、パック本体の厚さ方向に押圧するなどして第一収容部や第二収容部に圧力を加えると該第一収容部や第二収容部に収容されている流動性収容物を前記連通部に向けて移動させ得る。従って、本発明では、前記縁部シールの前記連通部と隣接する箇所に前記圧力を作用させることができる。そして、本発明の収容パックは、少なくとも前記連通部に隣接する箇所において前記縁部シールがイージーピール性を有しているため前記圧力によって内側から開封させることができる。即ち、本発明の収容パックは、圧力を加えることで特定の箇所から内部の流動性収容物を排出させることができ、収容物の予期せぬ溢れ出しを抑制することができる。しかも、本発明では、第一収容部や第二収容部に対する加圧操作を片手で行うことが可能である。即ち、本発明によれば、片手操作で容易に開封可能で、且つ、収容物の予期せぬ溢れ出しを抑制することが可能な収容パックが提供され得る。
【００１０】
前記第一収容部と前記第二収容部とが重なり合うように前記パック本体を折り曲げるための折り曲げ線が前記横断シールに沿って設けられていることが好ましい。
【発明の効果】
【００１１】
以上のように、本発明によれば、片手操作で容易に開封可能で、且つ、収容物の予期せぬ溢れ出しを抑制することができる。
【図面の簡単な説明】
【００１２】
【図１】一実施形態の収容パックに係るパック本体を示した概略斜視図。
【図２】一実施形態の収容パックに係るパック本体を示した概略正視図。
【図３】図２でのＩＩＩ−ＩＩＩ線矢視断面図。
【図４】収容パックから流動性収容物を排出させる操作方法を示した概略図。
【図５】（ａ）は、内側に凹入部を備えた縁部シールを示した概略図であり、（ｂ）は、外側に凹入部を備えた縁部シールを示した概略図。
【図６】他の実施形態の収容パックを示した概略正面図。
【図７】従来の収容パックを示した概略正面図。
【発明を実施するための形態】
【００１３】
本実施形態の収容パックについて図を参照しつつ説明する。
図１、２に示すように、本実施形態の収容パック１は、正面視における形状が縦長な長方形となるパック本体１０を有している。該パック本体１０は、１枚のシートが折り返されて該シートどうしが重ね合されるとともにパック本体１０の周縁部となる箇所で前記シートどうしを接着することによって内部に流動性収容物を収容するための収容部１０ａが形成されている。
【００１４】
本実施形態の前記パック本体１０は、重ね合された前記シートの一方の部分となる第一シート部１１と、他方の部分である第二シート部１２とを有している。前記第一シート部１１は、前記パック本体１０の表面側を構成し、前記第二シート部１２は前記パック本体１０の背面側を構成している。即ち、本実施形態の前記パック本体１０は、該パック本体１０の厚さ方向において対向するように前記第一シート部１１と、前記第二シート部とを有している。そして、本実施形態の前記パック本体１０は、前記第一シート部１１と前記第二シート部１２との間に流動性収容物が密封されている。
【００１５】
本実施形態のパック本体１０を構成する前記シートは、パック本体１０の輪郭形状である長方形の一方の長辺で折り返されており、他方の長辺及び２つの短辺に沿った箇所では当該シートどうしが接着されて縁部シール１４を構成している。即ち、本実施形態のパック本体１０の前記縁部シール１４は、長方形の１つの長辺に沿った長辺シール１４ａと、該長辺シール１４ａの一方の端縁（上端縁）から短辺に沿って延びる第一短辺シール１４ｂと、前記長辺シール１４ａの他方の端縁（下端縁）から短辺に沿って延びる第二短辺シール１４ｃとを備えている。
【００１６】
前記長辺シール１４ａと対向する長辺では前記シートが単に折り返されているだけでなく内側に僅かに織り込まれてサイドガゼット１３が形成されている。本実施形態のパック本体１０は、前記サイドガゼット１３の形成されている長辺の長さ方向中央部から当該パック本体１０を横断して対向する長辺の中央部に向かう方向に沿って前記第一シート部１１と前記第二シート部１２とが接着されている横断シール１５をさらに備えている。
【００１７】
本実施形態の前記パック本体１０には、前記流動性収容物を収容する収容部１０ａとして前記横断シール１５を介して隣り合う第一収容部１０ａ１と第二収容部１０ａ２とが備えられている。前記の通り、本実施形態の前記パック本体１０には、該パック本体１０の外周縁に沿って前記第一シート部１１と前記第二シート部１２とが接着されている縁部シール１４が備えられており、前記横断シール１５は、前記縁部シール１４の前記長辺シール１４ａと直交する方向に延び、且つ、前記長辺シール１４ａには到達していない。このことにより、本実施形態の前記パック本体１０には、前記横断シール１５の先端と前記縁部シール１４との間に前記第一収容部１０ａ１と前記第二収容部１０ａ２とを連通させる連通部１０ｂが形成されている。
【００１８】
本実施形態の前記パック本体１０では、前記縁部シール１４が少なくとも前記連通部１０ｂに隣接する箇所においてイージーピール性（易剥離性）を有している。そして、本実施形態の前記パック本体１０は、前記第一収容部１０ａ１や前記第二収容部１０ａ２を構成している前記第一シート部１１と前記第二シート部１２とが接近するように前記第一収容部１０ａ１や前記第二収容部１０ａ２に圧力を加えることで、これらに収容されている流動性収容物を前記連通部１０ｂへと移動させ得る。このようにして前記第一収容部１０ａ１や前記第二収容部１０ａ２から流動性収容物が移動してきた前記連通部１０ｂでは、流動性収容物の圧力によって前記第一シート部１１と前記第二シート部１２とが互いに離れる方向に移動して収容容積が増大される。さらに、圧力が加わると連通部１０ｂに隣接している箇所（イージーピール性を有する箇所）において前記長辺シール１４ａを構成している前記第一シート部１１と前記第二シート部１２とが内側から外側に向かって剥離し始める。そして、前記第一収容部１０ａ１や前記第二収容部１０ａ２への加圧が継続されることで、この剥離が進行して前記長辺シール１４ａを完全に横断する状態になり、前記流動性収容物が前記パック本体１０の外部に排出される。従って、前記連通部１０ｂに隣接する箇所であって前記縁部シール１４がイージーピール性を有している箇所は、言い換えると流動性収容物の外部への排出流路となることが予定された箇所である。なお、縁部シール１４における連通部１０ｂに隣接する箇所（即ち、イージーピール性を有する箇所）において第一シート部１１と第二シート部１２とが剥離する態様としては、特に限定されるものではなく、例えば、層間剥離、界面剥離、及び、凝集剥離から選択される少なくとも一つの態様が挙げられる。
【００１９】
このようなイージーピール性を前記縁部シール１４に発揮させるには、第一シート部１１と第二シート部１２とを構成させるシート自体にイージーピール性を有するものを採用してもよく、第一シート部１１と第二シート部１２とをイージーピール性を有する接着シートを介して接着させるようにしてもよい。また、本実施形態の前記パック本体１０は、液体の非透過性に優れるとともにガスバリア性にも優れ、且つ、可とう性に優れた樹脂シートによって構成されている。本実施形態では、パック本体１０を構成する前記第一シート部１１と前記第二シート部１２とは、アルミラミネート樹脂シートによって構成されている。そして、前者であれば、アルミラミネート樹脂シートの表面にイージーピール性を発揮させるためのシーラント層（所謂、パートコート層）が設けられた積層樹脂シートによって前記第一シート部１１と前記第二シート部１２とを構成させればよい。後者の場合、図３に示すように前記縁部シール１４は、前記アルミラミネート樹脂シートＳ１，Ｓ２がイージーピール性を有する接着シートＡＳによって接着された構造とすればよい。なお、第一シート部１１、又は、第二シート部１２を構成するシートとしては、上記のアルミラミネート樹脂シート以外に、アルミ蒸着樹脂シート、アルミ透明蒸着樹脂シート、ナイロンＭＸＤ６シート、Ｋコートフィルム、及び、ＥＶＯＨから構成されるガスバリア性フィルム等から選択される少なくとも一つが挙げられる。
【００２０】
本実施形態のアルミラミネート樹脂シートは、前記パック本体１０の内側から順にアルミニウム層Ｓ１１．Ｓ２１、ポリアミド樹脂層Ｓ１２，Ｓ２２、ポリエチレンテレフタレート樹脂層Ｓ１３，Ｓ２３となる３層の積層構造を有する。該アルミラミネート樹脂シートは、ポリアミド樹脂層を構成するポリアミド樹脂シートに延伸加工が施されており優れた手切れ性を発揮する。また、本実施形態のアルミラミネート樹脂シートは、アルミニウム層Ｓ１１．Ｓ２１を有することで遮光性及びガスバリア性に優れている。該アルミラミネート樹脂シートとしては、例えば、１０μｍ以上１００μｍ以下の厚さを有するものを採用することができる。
【００２１】
前記シーラント層や前記接着シートＡＳは、イージーピールシーラントフィルムなどとして市販されているものを採用することができる。前記シーラント層や前記接着シートＡＳは、非相溶性を示す２種類以上の樹脂を含む樹脂組成物によって構成させることができ、例えば、ポリエチレン樹脂を含む連続相とポリスチレン樹脂を含む分散相とのミクロ相分離構造を有する樹脂組成物によって構成させることができる。前記シーラント層や前記接着シートＡＳの厚さは、例えば、１μｍ以上５０μｍ以下とすることができる。
【００２２】
本実施形態においてイージーピール性を発揮させるのは、前記長辺シール１４ａの一部であっても全部であってもよい。尚、前記第一短辺シール１４ｂ、前記第二短辺シール１４ｃ、及び、前記横断シール１５には、イージーピール性を発揮させる必要性はない。通常、これらには、長辺シール１４ａよりも高い剥離強度が発揮されることが好ましい。
【００２３】
尚、前記流動性収容物を排出容易にする点を考慮すると、前記縁部シール１４での前記排出流路となる箇所において第一シート部１１と第二シート部１２との間に作用する剥離強度は、意図しない剥離が生じない程度に低い（所謂、弱シールされている）ことが好ましい。
また、横断シール１５の延びる方向（パック本体１０を横断する方向）に対して交差する方向（以下、縦断方向とも記す）において、縁部シール１４におけるイージーピール性を有する領域（排出流路となる箇所）の長さは、縁部シール１４における縦断方向に延びる領域（本実施形態では、長辺シール１４ａ）の全長に対して１％以上３０％以下になるように構成されることが好ましい。また、縁部シール１４におけるイージーピール性を有する領域（排出流路となる箇所）の両側（縦断方向の両側）には、該イージーピール性を有する領域よりも剥離強度が高いポイントシールが施されるように構成されてもよい。
【００２４】
本実施形態の前記パック本体１０は、前記横断シール１５に沿った折り目を設けて、前記第一収容部１０ａ１と前記第二収容部１０ａ２とが重なり合うように当該パック本体１０を折り曲げるための折り曲げ線１０ｃが前記横断シール１５に沿って設けられている。本実施形態では、この折り曲げ線１０ｃを有することによって前記パック本体１０を簡単に半折状態にすることができるため流動性収容物の排出のために前記第一収容部１０ａ１と前記第二収容部１０ａ２とを個別に加圧するのではなく図４に示すように前記第一収容部１０ａ１と前記第二収容部１０ａ２とを重ね合せて一度に加圧することが容易に行われ得る。このときパック本体１０から流動性収容物ＦＬが排出される方向は、概ね前記横断シール１５の延長線上に沿った方向となるため流動性収容物排出前に十分予測できる。従って、前記横断シール１５が流動性収容物ＦＬの供給先に向かう方向となるようにして流動性収容物の排出操作を実施することで前記パック本体１０に収容されている流動性収容物を供給先に確実に供給することができる。
【００２５】
前記折り曲げ線１０ｃは、例えば、熱エンボスなどによって第一シート部１１と第二シート部１２とを部分的に厚さを薄くさせるような方法で作製することができる。具体的には、前記折り曲げ線１０ｃは、前記パック本体１０を横断する方向に沿って延びる実線又は破線を成すように厚さの薄い領域を設けることによって作製できる。該折り曲げ線１０ｃは、第一シート部１１と第二シート部１２との両方に形成させても片方のみに形成させてもよい。該折り曲げ線１０ｃは、前記横断シール１５が形成されている部分だけに形成させてもよく、パック本体１０の全体に及ぶ長さのものとして形成されてもよい。
【００２６】
本実施形態の前記横断シール１５は、前記サイドガゼット１３が形成されている側から前記連通部１０ｂに向かう第一の方向（パック本体１０を横断する方向）に向けて形成幅が変化している。即ち、前記横断シール１５は、前記第一の方向に直交する第二の方向（縦断方向）における寸法が前記連通部１０ｂに向かうにしたがって小さくなるように形成されている。そして、前記第一収容部１０ａ１と前記横断シール１５との間の境界線Ｌ１は前記連通部１０ｂに向かうにしたがって前記折り曲げ線１０ｃに接近している。また、前記第二収容部１０ａ２と前記横断シール１５との間の境界線Ｌ２も前記連通部１０ｂに向かうにしたがって前記折り曲げ線１０ｃに接近している。本実施形態のパック本体１０は、この境界線（Ｌ１，Ｌ２）が傾斜していることによって前記第一収容部１０ａ１や前記第二収容部１０ａ２に圧力が加えられた際の流動性収容物の連通部１０ｂへの移動が促進されるようになっている。
【００２７】
前記パック本体１０は、縁部シール１４の内側の端縁を前記排出流路となる箇所において外向きに凹入させて縁部シール１４に図５（ａ）に示したような凹入部１４ａ１を形成させるようにしてもよい。このような凹入部１４ａ１を設けることにより液体を排出させるために前記第一収容部１０ａ１や前記第二収容部１０ａ２に加えられた圧力を該凹入部１４ａ１を介して前記排出流路となる箇所に集中的に作用させることができる。
【００２８】
前記パック本体１０は、縁部シール１４の外側の端縁を前記排出流路となる箇所において内向きに凹入させて縁部シール１４に図５（ｂ）に示したような凹入部１４ａ２を形成させるようにしてもよい。このような凹入部１４ａ２を設けることにより液体を排出させる際にシートを剥離する区間を短くすることができるとともに液体の排出箇所を明示させることができる。前記パック本体１０の縁部シール１４には内側から外向きに凹入した凹入部１４ａ１と外側から内向きに凹入した凹入部１４ａ２との両方を形成させるようにしてもよい。
【００２９】
前記第一収容部１０ａ１や前記第二収容部１０ａ２に収容させる流動性収容物は、特にその種類が限定されるものではなく、例えば、シャンプー、リンス、ワックス、ヘアカラーなどの頭髪用品、歯磨きペースト、うがい薬などの口腔用品、洗剤、漂白剤などの洗濯用品、洋からし、和からし、わさび、おろしショウガ、おろしニンニク、マヨネーズ、ケチャップ、ソース、醤油、めんつゆなどの調味料、ジャム、ピーナッツバター、チョコレートソースなどの食品が挙げられる。
【００３０】
前記第一収容部１０ａ１に収容させる流動性収容物と、前記第二収容部１０ａ２に収容させる流動性収容物とは、同じ物である必要はなく異なっていてもよい。本実施形態における収容パック１は、例えば、前記第一収容部１０ａ１にシャンプーを収容し、前記第二収容部１０ａ２にリンスを収容させてこれらをリンスインシャンプーの状態で排出させるような目的で用いられてもよい。
【００３１】
上記のように本実施形態の収容パック１は、第一シート部１１と、該第一シート部１１に対向する第二シート部１２とを有し、該第二シート部１２と前記第一シート部１１との間に流動性を有する収容物が密封されているパック本体１０を備えている収容パック１であって、前記パック本体１０を横断する方向に沿って前記第一シート部１１と前記第二シート部１２とが接着されている横断シール１５を備え、該パック本体１０には、前記収容物を収容する収容部１０ａとして前記横断シール１５を介して隣り合う第一収容部１０ａ１と第二収容部１０ａ２とが備えられており、前記パック本体１０には、該パック本体１０の外周縁に沿って前記第一シート部１１と前記第二シート部１２とが接着されている縁部シール１４をさらに備え、前記横断シール１５が前記縁部シール１４と交差する方向に延び、且つ、前記縁部シール１４には到達していないことにより、前記横断シール１５の先端と前記縁部シール１４との間に前記第一収容部１０ａ１と前記第二収容部１０ａ２とを連通させる連通部１０ｂが形成されており、前記縁部シール１４が少なくとも前記連通部１０ｂに隣接する箇所においてイージーピール性を有している。
【００３２】
そのため、本実施形態の収容パック１は、片手操作で容易に開封可能で、且つ、収容物の予期せぬ溢れ出しを抑制することが可能になっている。
【００３３】
さらに、本実施形態の収容パック１は、前記第一収容部１０ａ１と前記第二収容部１０ａ２とが重なり合うように前記パック本体１０を折り曲げるための折り曲げ線１０ｃが前記横断シール１５に沿って設けられている。そのため本実施形態の収容パック１は、上記のような効果をより顕著に発揮する。
【００３４】
尚、本実施形態においては、収容パック１が１枚のシートを折り曲げて重ね合せたものに対して三方シールが施されている長方形のパック本体１０を例示しているが、本発明のパック本体１０は、四方シールを施したものであってもよい。即ち、パック本体１０の第一シート部１１と第二シート部１２とは、共通する一枚のシートで形成され得るだけでなく２枚の異なる素材のシートでそれぞれ形成させてもよい。また、本発明のパック本体１０は、長方形である必要はなく、別の多角形や不定形であってもよい。前記パック本体１０は、図６に示すように正面視における形状が円形であってもよく、特にその形状が限定されるわけではない。また、本発明の収容パック１は、図６に示すようにパック本体１０を収容するためのポケット部２１を備えたペーパーケース２０などをさらに備えていてもよい。また、本発明は、このようなこと以外にも従来公知の技術事項に基づいて各種変更を加えてもよく、上記例示に何等限定されるものではない。
【符号の説明】
【００３５】
１…収容パック、１０…パック本体、１０ａ…収容部、１０ａ１…第一収容部、１０ａ２…第二収容部、１０ｂ…連通部、１０ｃ…折り曲げ線、１１…第一シート部、１２…第二シート部、１３…サイドガゼット、１４…縁部シール、１４ａ…長辺シール、１４ａ１，１４ａ２…凹入部、１４ｂ…第一短辺シール、１４ｃ…第二短辺シール、１５…横断シール、２０…ペーパーケース、２１…ポケット部、ＡＳ…接着シート、ＦＬ…流動性収容物、Ｌ１…境界線、Ｌ２…境界線、Ｓ１，Ｓ２…アルミラミネート樹脂シート、Ｓ１１…アルミニウム層、Ｓ１２，Ｓ２２…ポリアミド樹脂層、Ｓ１３，Ｓ２３…ポリエチレンテレフタレート樹脂層
【図１】
2020023338.tif 000003
【図２】
2020023338.tif 000004
【図３】
2020023338.tif 000005
【図４】
2020023338.tif 000006
【図５】
2020023338.tif 000007
【図６】
2020023338.tif 000008
【図７】
2020023338.tif 000009